(57)【要約】 【課題】  防汚性、消臭性、殺菌性、防曇性を有する光触媒層を革、金属、布、ゴム、ガラス、プラスチックなど時計部材としての被定着物質に確実かつ安定的に定着させ、光触媒物質としての二酸化チタンと当該被定着物質との非剥離性を向上させる。【解決手段】時刻表示部を備えた時計本体と時計本体に取着されて任意の部位に時計本体を装着可能とする装着部を備えた時計において、該時計の時計本体あるいは装着部の表面に二酸化チタンを含有する光触媒層を形成するにあたって、ポリエステルからなるバインダーを用いることとする。【選択図】  図２
0003108180.tif 000002
【実用新案登録請求の範囲】
【請求項１】
時刻表示部を備えた時計本体と、時計本体に取着されて任意の部位に時計本体を装着可能とする装着部を備えた時計であって、
時計本体あるいは装着部の表面に二酸化チタンとポリエステルを含有する光触媒層を備えることを特徴とする時計。
【請求項２】
時計本体を装着する部位は腕とされ、装着部は時計本体に取着される腕時計バンドである請求項１に記載の時計。
【請求項３】
時計本体を装着する部位は被服やかばんの吊り手などの被吊り下げ部位とされ、装着部は時計本体に取着される吊り下げ部材とされる請求項１に記載の時計。
【請求項４】
装着部は、革、金属、布、ゴムのいずれかの材料を用いて形成され、光触媒層は該材料で形成されて装着部の表面の全部または一部に定着させて備えられるものである請求項１ないし請求項３のいずれかに記載の時計。
【請求項５】
時計本体は、外表面に該材料の素材面が備えられるものであって、プラスチック、ガラス、金属のいずれかの材料を用いて形成され、光触媒層は該素材面の表面の全部または一部に定着させて備えられるものである請求項１ないし請求項４のいずれかに記載の時計。
【請求項６】
光触媒層は、二酸化チタンとポリエステルを含有する液状体に時計本体および／または装着部を浸漬し、あるいは二酸化チタンとポリエステルを含有する液状体を時計本体および／または装着部に塗布または噴霧させ、該液状体を乾燥させて時計本体および／または装着部に定着させて備えることとしてなる請求項１ないし請求項５のいずれかに記載の時計。
【考案の詳細な説明】
【技術分野】
【０００１】
本考案は光触媒を用いた時計に関するものである。
【背景技術】
【０００２】
最近、光触媒物質を物質表面に定着させ、その物質の防汚性、消臭性、殺菌性、防曇性を向上させるようにしている。
【特許文献１】特開２００３−８９５２５
【０００３】
ところで、時計はガラス、金属で構成でされるが、腕に装着させるためのバンドなどには、革、金属、布、ゴムなど様々な物質が存在している。
【考案の開示】
【考案が解決しようとする課題】
【０００４】
こうした様々な物質からなる時計において、出願人は光触媒技術を応用させるべく開発を行った。
【０００５】
しかし、光触媒物質として用いる二酸化チタンは、定着させる物質の定着面から脱落しやすく、光触媒の効果を維持するのが困難であった。特に腕時計やかばんに吊り下げて用いる時計においては、使用に際して様々な部位に接触するため光触媒物質が脱落しやすいものとされていた。
【０００６】
また、二酸化チタンを物質に定着させるべく、様々なバインダーを塗布、噴射、浸漬を行う溶液中に混ぜることも考えられるが二酸化チタンとの親和性が悪く、特に時計はその表面に、革、布、金属、ガラスなど様々な材質を使用するものが多く、これら全ての材料に安定的に二酸化チタンを定着させるバインダーは存在しないものとされていた。
【０００７】
そこで、出願人は光触媒物質としての二酸化チタンを安定的に時計の表面に形成すべく、様々な定着剤を用い試行錯誤に基づく実験を行った。その結果、様々な物質からなる時計の表面に剥離しにくい光触媒層を安定的に形成することができた。すなわち、本考案は、様々な材質で形成される時計において確実かつ安定的に光触媒層を備えることを目的とするものである。
【課題を解決するための手段】
【０００８】
上記目的を達成するため、請求項１に係る考案は、時刻表示部を備えた時計本体と、時計本体に取着されて任意の部位に時計本体を装着可能とする装着部を備えた時計において、時計本体あるいは装着部の表面に二酸化チタンとポリエステルを含有する光触媒層を備えることとしたものである。
【０００９】
請求項２に係る考案は、請求項１に記載の時計において、時計本体を装着する部位を腕とし、装着部を時計本体に取着する腕時計バンドとしたものである。
【００１０】
請求項３に係る考案は、請求項１に記載の時計において、時計本体を装着する部位を被服やかばんの吊り手などの被吊り下げ部位とし、装着部を時計本体に取着される吊り下げ部材としたものである。
【００１１】
請求項４に係る考案は、請求項１ないし請求項３のいずれかに記載の時計において、装着部を、革、金属、布、ゴムのいずれかの材料を用いて形成し、光触媒層は該材料で形成して装着部の表面の全部または一部に定着させて備えることとしたものである。
【００１２】
請求項５に係る考案は、請求項１ないし請求項４のいずれかに記載の時計において、時計本体をプラスチック、ガラス、金属のいずれかの材料を用いるものとし、該時計本体の外表面に該材料の素材面を備え、光触媒層を該素材面の表面の全部または一部に定着させて備えることとしたものである。
【００１３】
請求項６に係る考案は、請求項１ないし請求項５のいずれかに記載の時計において、光触媒層を二酸化チタンとポリエステルを含有する液状体に時計および／または装着部を浸漬し、あるいは二酸化チタンとポリエステルを含有する液状体を時計本体および／または装着部に塗布または噴霧させ、該液状体を乾燥させて時計本体および／または装着部に定着させて備えることとしたものである。
【考案を実施するための最良の形態】
【００１４】
光触媒は、物質の防汚性、消臭性、殺菌性、防曇性を向上させる効果がある。光安定性のよい光触媒材としては二酸化チタンがあり、これを主成分とした光触媒材が広く用いられているところである。本考案においては、このような光触媒材を物質表面に高い密着性をもって定着させるものとして、ポリエステルと混合させることにより、物質との親和性を向上させている。
【００１５】
すなわち、本考案者の行った実験によれば、液状体として、二酸化チタン、ポリエステル、添加剤を水に混合させて以下の加工液の生成し、当該加工液を時計の部材としての革、金属、布、ゴム、プラスチック、ガラスに浸漬させて、その定着を試みたところ、いずれの物質においても良好な定着性を確認することができたところである。
・加工液
成分                  重量部
二酸化チタン          ２〜３％
ポリエステル          ０．７５〜２％
添加剤                ０．２５〜１％
水                    ９４〜９７％
【００１６】
図１及び図２は、本実施形態に係る腕時計を示すものである。この腕時計は、時刻表示部３を備えた時計本体１と、該時計本体１の時計側４に一対備えられるバンド装着部６に、時計バンド２を備えることとしている。時計本体１は、時刻表示部を透過して視認するためのガラス、透明プラスティックからなる時計皿３を備える。また、時計本体１の時計側４部分は金属製とされ、さらに装着部としての時計バンド２は、革、人工皮革などの材料で形成される。
【００１７】
時刻表示部に用いる時計皿３は、先に述べたガラス、透明プラスティックなどを用いることができるが、恒久的に使用される時計の性質を考慮すると強化ガラスを用いることが好ましい。時計側４においては、ステンレスなどの金属であるほかプラスチックなどで構成されてもよい。
【００１８】
このように形成される腕時計への光触媒層５の形成は、上記成分からなる加工液に腕時計全体を浸漬して、これを引き上げ、乾燥をすることにより定着される。こうして加工液に浸漬され、乾燥された時計本体１並びに時計バンド２の表面には、図２に示すように、光触媒層５が薄膜状に形成され、この部分において紫外線等を吸収することによって装着部としての時計バンド２並びに時計本体１の防汚、消臭、殺菌効果、時刻表示部の防曇効果などの効果を発揮することとされる。すなわち、時計本体１を装着する腕においては、汗、汚れなどが発生し易く、これに接する時計本体１並びに時計バンド２の部分においては皮膚や被服から汚れや臭いが吸収されやすく、汚れから菌が発生することもある。この点、本実施形態に係る腕時計によれば、光触媒層５の作用により、時計本体１並びに時計バンド２の部分において汚防、殺菌等の効果を発揮することが可能とされる。
【００１９】
もっとも、本考案においては、こうした加工液に腕時計の全体を浸漬させる方法に限らず、該加工液を刷毛で塗布（コーティング）し、あるいはスプレーで噴霧することにより定着させることもできる。加工液を塗布あるいは噴霧して定着させる場合においては、上記浸漬の場合のように腕時計の全体に光触媒層５を形成するのと異なり、腕時計の一部をテープ等でマスキングし、加工液を腕時計の一部に定着させ、光触媒層５を所望の位置に形成することもできる。
【００２０】
また、乾燥については、腕時計の構成材料である革、金属、布などいずれの場合であっても、自然乾燥であれば浸漬、塗布、噴霧後３０分から１時間程度、４０℃程度の熱による熱乾燥を行う場合には２０分から４０分程度の乾燥作業で光触媒層５を形成することが可能とされる。なお、熱乾燥を行う場合には、ガラス中のナトリウムイオンが光触媒層に拡散し、光触媒活性が低下することから、ガラス上に酸化シリコンの薄膜などをプレコーティングした上、該薄膜上に光触媒層５を形成するのが好ましい。
【実施例】
【００２１】
以下、図面とともに本考案の実施例について説明する。
【００２２】
図３に示す本考案の実施例１は、時計バンド１０の全体を金属で構成したものに係る。この実施例１においても上記実施形態と同様に、腕時計の全体を加工液に浸漬し、あるいは腕時計の全部または一部に加工液を塗布あるいは噴霧させて上記実施形態と同様に腕時計の構成部分の表面に光触媒層５を形成するものとされる。該時計バンド２は、複数の金属小片１１を連結部材１２により各々連結させて構成される。この連結部材１２は、各金属小片１１間にスペースを持たせる状態で介挿され、上下両端部を該各金属小片１１と連結してなる。このようにしてなる時計バンド１０は、各金属小片１１間に間隙をもって連結され、紫外線等を吸収する領域を拡大できるものとされる。
【００２３】
図４は本考案の実施例２に係る腕時計である。この実施例においては、時計本体１並びに時計本体１を腕に装着するための装着部として全体ゴム材からなるリング状の時計バンド２０で構成される。この実施例２においても上記実施形態と同様に、腕時計の全体を加工液に浸漬し、あるいは腕時計の全部または一部に加工液を塗布あるいは噴霧させて上記実施形態と同様に腕時計の構成部分の表面に光触媒層５を形成するものとされる。すなわち、このような構成からなる腕時計はジョギング、テニスなどスポーツ用のものとしての用途があり、腕から発散される汗などにより、時計バンド２０が汚れあるいは臭いが付き易いため、表面に形成される光触媒層５により、こうした不具合を解消することができる。
【００２４】
図５は本考案の実施例３に係る時計である。本実施例に係る時計は、被服やかばんの吊り手などの被吊り下げ部位に吊り下げて物体に装着する吊り下げタイプの時計に係る。この実施例においては、時計本体１の連結部３２にチェーン部材３１を連結させてなり、このチェーン部材３１の時計本体１の他端側にフック部３０を備える。時計本体１をかばんの吊り手などに装着する装着部としてのチェーン部材３１は、全体を金属材で形成される。この実施例においても上記実施形態と同様に、チェーン部材３１を含む時計の全体を加工液に浸漬し、あるいは時計の全部または一部に加工液を塗布あるいは噴霧させて上記実施形態と同様に腕時計の構成部分の表面に光触媒層５を形成するものとされる。本実施例に係る時計は、吊り下げ部材としてのフック部３０により、被装着部位としての、例えば、かばんの吊り手やズボンのベルトやベルトの通し紐などの被吊り下げ部位に吊り下げて装着可能とされる。
【００２５】
図６及び図７は本考案の実施例４に係る時計であり、実施例３と同様に被服やかばんの吊り手などの被吊り下げ部位に吊り下げて物体に装着する吊り下げタイプの時計に係る。この実施例においては時計本体１の連結部４２に二本の束状のひも部材４１を装着させてなる。該ひも部材４１は革材などにより構成され、時計本体１の他端側には二本の束状のひも部材４１を係着する係着部材４０が備えられる。この実施例４においても上記実施形態と同様に、ひも部材４１を含む時計の全体を加工液に浸漬し、あるいは時計の全部または一部に加工液を塗布あるいは噴霧させて上記実施形態と同様に時計の構成部分の表面に光触媒層５を形成するものとされる。本実施例に係る時計は、被装着部位としての、例えば、かばんの吊り手やズボンのベルトやベルトの通し紐などの被吊り下げ部位に取着し、それらの部位に吊り下げることが可能とされる。ひも部材４１のこれらの部位への取着は、例えば図７に示すように、かばんの吊り手にひも部材４１を周回させたうえ、該ひも部材４１における時計本体１の他端側の二本のひも部材４１の間に時計本体１を挿通させて、かばんの吊り手に該ひも部材４１を結び付けることにより行われる。この際、二本のひも部材４１に外装されるスライド片４５をひも部材４１が結び付けられたかばんの吊り手側にスライドさせることで、該ひも部材４１を強固にかばんの吊り手に結びつけることが可能となる。
【産業上の利用可能性】
【００２６】
被定着物質に光触媒層を定着させるにあたり、バインダーとしてポリエステルを用いることによって、様々な被定着物質に光触媒層を確実かつ安定的に定着させ、経時変化により光触媒物質としての二酸化チタンが剥離しにくい時計を供給することができる。
【図面の簡単な説明】
【００２７】
【図１】本考案の実施の形態に係る腕時計１を示す正面図である。
【図２】図１におけるＡ−Ａ線断面図である。
【図３】本考案の実施例１に係る腕時計を示す斜視図である。
【図４】本考案の実施例２に係る腕時計を示す斜視図である。
【図５】本考案の実施例３に係る時計を示す正面図である。
【図６】本考案の実施例４に係る時計を示す正面図である。
【図７】図６の時計のかばんに対する装着状態を示す斜視図である。
【符号の説明】
【００２８】
１                                  時計本体
２、１０、２０                      時計バンド
３、１３、２１、３３、４３          時計皿
４、１４、２２、３４、４４          時計側
５                                  光触媒層
６                                  バンド装着部
１１                                金属小片
１２                                連結部材
３０                                フック部
３１                                チェーン部材
３２、４２                          連結部
４０                                係止部材
４１                                ひも部材
４５                                スライド片
【図１】
0003108180.tif 000003
【図２】
0003108180.tif 000004
【図３】
0003108180.tif 000005
【図４】
0003108180.tif 000006
【図５】
0003108180.tif 000007
【図６】
0003108180.tif 000008
【図７】
0003108180.tif 000009